(57)【要約】【課題】容器や包装から生じる廃プラスチック中からポリ塩化ビニルを精度良く効率的に、低コストで選別できる装置を提供する。【解決手段】容器や包装から生じる廃プラスチックを比重で選別する乾式比重選別部の高比重物排出ライン側に、色で選別する色選別部が接続されていることを特徴とする廃プラスチック中のポリ塩化ビニル選別装置。色選別部の直前に振動フィーダを設けることで、色選別精度が向上する。【選択図】　　図１
2004113900.tif 000002
【特許請求の範囲】
【請求項１】
容器や包装から生じる廃プラスチックを比重で選別する乾式比重選別部の高比重物排出ライン側に、色で選別する色選別部が接続されていることを特徴とする廃プラスチック中のポリ塩化ビニル選別装置。
【請求項２】
色選別部の直前に振動フィーダが設けられている請求項１に記載の廃プラスチック中のポリ塩化ビニル選別装置。
【発明の詳細な説明】
【０００１】
【発明の属する技術分野】
本発明は、容器や包装から生じる廃プラスチックをポリ塩化ビニル（ＰＶＣ）と、ＰＶＣ以外のポリスチレン（ＰＳ）、ポリプロピレン（ＰＰ）等の廃プラスチックに選別する装置に関する。
【０００２】
【従来の技術】
容器や包装から生じる廃プラスチック中のＰＳ、ＰＰ等については高炉還元剤化、セメント原燃料化、油化等のリサイクル方法がある。しかし、ＰＶＣは塩素を含むため、リサイクル工程において腐食やダイオキシン発生の原因となり、廃プラスチック中から除去する必要がある。このため、効率良く、低コストで廃プラスチック中からＰＶＣを選別できる装置が望まれていた。
【０００３】
特開２００１−３２８１２０号公報には破砕された廃プラスチックをその嵩比重により選別する風力選別機と、その粒径により選別する篩と、その比重差により塩素系プラスチック及びその他のプラスチックに選別する乾式比重選別機とを組み合わせた選別装置が開示されている。特開２００１−２９３３９３号公報には湿式比重選別装置を利用して廃プラスチックから塩素含有プラスチックを選別する装置が開示されている。特開２００１−２１９４２５号公報には廃プラスチックを塩素含有プラスチックの融点未満の溶融温度で溶融造粒し、得られた粒状物と前記溶融温度では溶融造粒されなかった非粒状物とを乾式分離手段によって分離する方法が開示されている。
【０００４】
【発明が解決しようとする課題】
しかしながら、特開２００１−３２８１２０号公報に示された技術は、選別精度の面から必ずしも満足のいくものではない。また、特開２００１−２９３３９３号公報や特開２００１−２１９４２５号公報に開示された技術は処理効率面やメンテナンスに掛かる手間等から総合的にみるとランニングコストが高くなる。
【０００５】
本発明は、上述した背景に鑑み、精度良く効率的に、低コストで容器や包装から生じる廃プラスチック中からＰＶＣを選別できる装置を提供することを目的とするものである。
【０００６】
【課題を解決するための手段】
本発明による廃プラスチック中のＰＶＣ選別装置は、容器や包装から生じる廃プラスチックを比重で選別する乾式比重選別部の高比重物排出ライン側に、色で選別する色選別部が接続されていることを特徴とするものである。
【０００７】
廃プラスチック中のＰＶＣの比重は１．３程度で、ＰＳやＰＰの比重よりも大きいため、乾式比重選別装置により高比重物として選別されるが、肉厚のＰＳやＰＰが混入する場合が多い。容器や包装から生じる廃プラスチック中のＰＶＣは、その殆どが透明である。一方、高比重物中に混入する肉厚のＰＳやＰＰは着色している。
【０００８】
本発明者等はこの点に着目し、鋭意検討した結果、乾式比重選別装置の高比重物排出ライン側に、色で選別する色選別装置が接続された廃プラスチック中のＰＶＣの選別装置とすることにより、精度良く効率的にＰＶＣの選別ができることを見出した。乾式比重選別装置は操作が簡便で時間当たりの処理量が大きいという特長を有している。また、乾式比重選別装置、色選別装置共にメンテナンスに比較的手間が掛からない。これらのことから、本発明の選別装置は処理量当たりのランニングコストが低減できる。かくして、精度良く効率的に、低コストで廃プラスチック中からＰＶＣを選別できる本発明の選別装置を完成するに至った。
【０００９】
また、本発明の装置においては、色選別部の直前に振動フィーダを設けることが望ましい。
【００１０】
色選別部で廃プラスチックを選別するに際しては、廃プラスチックが重なっていない状態にすることが色選別精度の向上をもたらす。比重選別部で予め選別された高比重の廃プラスチックのみを振動フィーダで振動させると、低比重の廃プラスチックが混入している場合に比べて廃プラスチック同士を重なりにくい状態にすることができるため、色選別精度を向上させることができる。
【００１１】
【発明の実施の形態】
本発明の実施の形態について以下に説明する。図１および図２は、各々、本発明装置の実施例を説明するための概念図である。
【００１２】
図１の実施例において、廃プラスチック原料投入装置１には、破砕装置２が接続されている。破砕装置２には、本発明による廃プラスチック中のＰＶＣ選別装置３が接続されている。廃プラスチック中のＰＶＣ選別装置３は乾式比重選別部、振動フィーダ、色選別部から構成されている。乾式比重選別部の高比重物排出ラインは振動フィーダを介し、色選別部に接続されている。色選別部のＰＶＣ排出ラインから出るＰＶＣを回収できるようにＰＶＣ受器４が設置されている。また、色選別部の着色廃プラスチック排出ラインから出る着色廃プラスチックを回収できるように着色廃プラスチック受器５が設置されている。乾式比重選別部の低比重物排出ラインから出る低比重廃プラスチック及び着色廃プラスチック受器５中の着色廃プラスチックを回収できるようにリサイクルプラスチック受器６が設置されている。
【００１３】
以上の構成から成る図１の装置において、容器や包装から生じる廃プラスチックを原料投入装置１に投入し、破砕装置２に送る。破砕装置は破砕物がシート状になる剪断式破砕装置が好ましい。破砕装置２において、リサイクルし易いように最も長い部分が１０〜３０ｍｍ程度の大きさに破砕する。金属混入物を除去するために、必要に応じて破砕装置２の前後に磁力選別装置を設けても良い。
【００１４】
次いで破砕物をＰＶＣ選別装置３の乾式比重選別部に送り、高比重物と低比重物とに分ける。高比重物はＰＶＣであるが、肉厚で比較的重く、着色したＰＳやＰＰ等が混入する。高比重物を振動フィーダに送り、破砕物の重なりを無くした後、色選別部で透明なＰＶＣと着色したＰＳやＰＰ等とに分ける。
【００１５】
ＰＶＣはＰＶＣ受器４に回収する。回収されたＰＶＣ中には、若干他の廃プラスチックが混入しているが、殆どがＰＶＣであるため、溶剤選別や、軟化温度の違いを利用して選別することが容易である。着色したＰＳやＰＰ等は乾式比重選別部で分けたＰＶＣを殆ど含まない低比重物と共に、リサイクルプラスチック受器６に回収する。
【００１６】
図２は、図１に示した実施例の変形例を示すもので、図１と同一構成部分には同一符号を付し、詳細な説明は省略する。
【００１７】
図２の実施例において、廃プラスチック原料投入装置１には、本発明による廃プラスチック中のＰＶＣ選別装置３が接続されている。ＰＶＣ選別装置３並びに、ＰＶＣ、着色廃プラスチックを回収する部分の構成は図１の実施例と同様である。図１の実施例と異なる点は、原料投入装置１から投入された原料を破砕することなくＰＶＣ選別装置３へ導入し、乾式比重選別部の低比重物排出ラインから出る低比重廃プラスチック及び着色廃プラスチック受器５中の廃プラスチックを破砕できるように破砕装置２が接続されている点である。破砕装置２から出る破砕された廃プラスチックを回収できるようにリサイクルプラスチック受器６が設置されている。
【００１８】
以上の構成から成る図２の装置は、ＰＳ製トレーを多く含む廃プラスチックからＰＶＣを選別する場合に好ましく使用できる。ＰＳ製トレーは、破砕しない方がＰＶＣとの選別が容易であり、選別後にＰＳ製トレーを破砕した方がＰＶＣからの選別効率が良いからである。
【００１９】
乾式比重選別部に用いる乾式比重選別装置は公知のものが使用できる。例えば、エアテーブルやジグザグ風力選別機が挙げられる。エアテーブルは下から空気が吹き出る網目構造を有する盤面が傾斜して設置されており、盤面を振動させることができる。盤面上に比重の異なる乾燥固形物を載せ、空気を吹き出しながら振動させることにより、高比重物は上側に、低比重物は下側に移動することで、両者を選別することができる。ジグザグ風力選別機は図３に概略図を示す。上下方向に長く、ジグザグ構造を有するチャンバーの下方から空気を吹き込み、チャンバー中間部分から乾燥固形物を投入することにより、高比重物はチャンバー内を下降してチャンバー下部に設けられた受器に落下し、低比重物は空気流によりチャンバー内を上昇してサイクロンに導かれ、サイクロン下部に設けられた受器に入る。
【００２０】
色選別部に用いる色選別装置も公知のものが使用できる。例えば、振動フィーダから供給される乾燥固形物を色検知センサーで検知し、所定の色の固形物に圧縮空気を吹きつけることにより飛ばして分離する方式のカラー画像処理選別装置が挙げられる。
【００２１】
【発明の効果】
以上に述べたように、本発明によれば、容器や包装から生じる廃プラスチックを比重で選別する乾式比重選別部の高比重物排出ライン側に、色で選別する色選別部が接続されていることを特徴とする廃プラスチック中のＰＶＣ選別装置により、精度良く効率的に、低コストで廃プラスチック中からＰＶＣを選別できる。
【００２２】
また、色選別部の直前に振動フィーダを設け、比重選別部で予め選別された高比重の廃プラスチックのみを振動フィーダで振動させることにより、低比重の廃プラスチックが混入している場合に比べて廃プラスチック同士を重なりにくい状態にすることができるため、色選別精度を向上させることができる。
【図面の簡単な説明】
【図１】廃プラスチックを粉砕後、ＰＶＣの選別除去を行う、本発明装置の一実施例の概念図である。
【図２】ＰＶＣを選別除去後、廃プラスチックの粉砕を行う、本発明装置の一実施例の概念図である。
【図３】ジグザグ風力選別機の概略構成図である。
【符号の説明】
１：原料投入装置
２：破砕装置
３：廃プラスチック中のＰＶＣ選別装置
４：ＰＶＣ受器
５：着色廃プラスチック受器
６：リサイクルプラスチック受器
【図１】
2004113900.tif 000003
【図２】
2004113900.tif 000004
【図３】
2004113900.tif 000005